(57)【特許請求の範囲】
【請求項１】
複数の竿体が振出形式で連結されかつ前記複数の各竿体内部に釣糸通路が形成された中通し竿の穂先側に取り付けられるトップカバーであって、
前記複数の竿体の穂先側を内部に収納可能な蓋付円筒型の本体部と、
前記本体部に設けられ、前記複数の竿体のうち竿元側に配置される竿体の穂先側先端外周面に前記本体部を取り付けるための取付部と、
前記本体部の穂先側内部に配置された吸着部材と
を備えたトップカバー。
【請求項２】
前記本体部の穂先側内部に配置された弾性部材をさらに備え、
前記吸着部材は前記弾性部材の竿元側に隣接して配置されている、
請求項１に記載のトップカバー。
【請求項３】
前記吸着部材は磁石である、請求項１または２に記載のトップカバー。
【発明の詳細な説明】
【０００１】
【発明の属する技術分野】
本発明は、トップカバー、特に、複数の竿体が振出形式で連結されかつ各竿体に釣糸通路が形成された振出式中通し竿の穂先側を覆うトップカバーに関する。また、本発明は、中通し竿の内部に釣糸を通すために用いられる中通し竿の糸通し具に関する。
【０００２】
【従来の技術】
振出式の中通し竿は、複数の竿体の内部に釣糸通路を形成するとともに、竿元側の竿体に釣糸通路にリールからの釣糸を挿入するための釣糸導入孔を形成したものである。この振出式の中通し竿の釣糸通路に釣糸を挿通するために糸通し具が用いられる。
【０００３】
この従来の糸通し具は金属製ワイヤの先端にキャップを設け、後端に釣糸を係止可能な釣糸係止部を設けたものである。この糸通し具で中通し竿の釣糸通路に釣糸を挿通させる場合（以下「釣糸挿通操作」という）には、中通し竿の複数の竿体を順次竿元側の竿体に収納する。そして、糸通し具の釣糸係止部にリールからの釣糸を係止した後に、先端のキャップを釣糸導入孔に挿入し、順次穂先側に送って穂先側から外部に導出する。
【０００４】
このような糸通し具を用いて釣糸挿通操作を行う場合、中通し竿の穂先側を下方に向けて作業を行うのが一般的である。しかし、中通し竿の穂先側を下方に向けて釣糸挿通操作を行うと作業中に穂先側の竿体が飛び出してしまう恐れがある。そこで、穂先側の竿体を係止するための係止栓を竿元側の竿体に装着して、穂先側の竿体が飛び出さないようにした中通し竿などが知られている。
【０００５】
【発明が解決しようとする課題】
前記係止栓を装着した中通し竿では、穂先側の竿体を必要な際には竿元側の竿体から穂先側に引き出す必要があり、当然、穂先側の竿体を竿元側の竿体に完全に固定したものではない。このため、釣糸挿通操作時に、穂先側の竿体が前方に落下してしまう場合もあり得る。また、このような係止栓を別途設けて中通し竿を製造するのは煩雑である。
【０００６】
本発明の課題は、中通し竿の釣糸挿通操作を容易に行うことができる、トップカバー及び糸通し具を提供することにある。
【０００７】
【課題を解決するための手段】
発明１にかかるトップカバーは、複数の竿体が振出形式で連結されかつ複数の各竿体内部に釣糸通路が形成された中通し竿の穂先側に取り付けられるトップカバーであって、複数の竿体の穂先側を内部に収納可能な蓋付円筒型の本体部と、本体部に設けられ、複数の竿体のうち竿元側に配置される竿体の穂先側先端外周面に本体部を取り付けるための取付部と、本体部の穂先側内部に配置された吸着部材とを備えている。
【０００８】
この場合には、トップカバーを中通し竿の竿元側に配置される竿体の穂先側に被せて取付部によって固定する。そして、トップカバーを竿元側に配置される竿体に固定したまま、後述の糸通し具によって釣糸挿通操作を行う。この際、穂先側を下方に向けたまま釣糸挿通操作を行っても、トップカバーが竿元側に配置される竿体内に収納されている竿体が穂先側に飛び出すのを抑える。また、本体部の穂先側内部に配置された吸着部材が、後述の糸通し具の先端に設けられた被吸着剤を引きつけて保持するので、糸通し具が竿体の穂先側に至った後に、トップカバーを竿体から取り外すとともに糸通し具を穂先側から引き出すことができ、釣糸を釣糸通路に容易に挿通させることができる。
【０００９】
発明２にかかるトップカバーは、本体部の穂先側内部に配置された弾性部材をさらに備えている。そして、吸着部材は弾性部材の竿元側に隣接して配置されている。この場合には、弾性部材が穂先側に飛び出した穂先側竿体の穂先側端部の損傷を防止する。また、釣糸挿通操作時において糸通し具の先端を損傷するのも防止できる。
【００１０】
発明３にかかるトップカバーは、発明１または２のトップカバーであって、吸着部材は磁石である。この場合には、磁石が、後述の先端に磁性体が配置された糸通し具を引きつけて保持し、釣糸挿通操作がより容易になる。
【００１２】
【発明の実施の形態】
［第１実施形態］
以下、本発明の第１実施形態について図面を参照しつつ説明する。
図１に示すように、本発明の第１実施形態を採用したトップカバー１０を装着する中通し竿は、元竿１と、元竿１の穂先側に連結された第１中竿２及び第２中竿３と、第２中竿３の穂先側に連結された穂先竿４とを有している。これら元竿１〜穂先竿４は炭素繊維またはガラス繊維，チラノ繊維等に合成樹脂を含浸させたプリプレグから形成される先細り筒状部材であって、内部に釣糸通路１００を有する（図３等参照）。そして、第１中竿２〜穂先竿４は穂先側から順次竿元側の竿体の内部に挿入され出し入れ自在になっており、いわゆる振出形式で連結されている。
【００１３】
元竿１は、外周面に形成されリール５を脱着自在に装着可能なリールシート６と、穂先側外周面に形成されリール５からの釣糸Ｌを竿体内部に導入する釣糸導入孔７が形成されている。また、元竿１には釣糸導入孔７を覆うように配置された釣糸ガイド８が固定されている。さらに、穂先竿４の穂先側端部にはトップガイド９が取り付けられており、リールからの釣糸Ｌは釣糸ガイド８及び釣糸導入孔７を通り釣糸通路１００に導かれて、穂先側のトップガイド９より外部へ導かれる。
【００１４】
上述の中通し竿の穂先竿４及び第２中竿３を第１中竿２内に順次収納し、第１中竿２を元竿１の穂先側に引き出した状態で、図２に示すように、中通し竿の穂先側にトップカバー１０が取り付けられる。このトップカバー１０は、竿元側が開口した蓋付円筒型の本体部１１と、本体部１１の竿元側外周面に設けられた係止突起１２と、本体部１１の竿元側に配置されたゴムバンド１３とを有している。
【００１５】
本体部１１は、内部に中通し竿の元竿１の穂先側を収納可能な程度の内径を有する蓋付き円筒形部材であり、竿元側の一部分が竿元側に伸びこの部分に係止突起１２が本体部１１と一体的に形成されている。本体部１１は、例えば、合成樹脂や金属等によって形成可能であるが、内部が目視可能な透明または半透明の合成樹脂で形成するのが好ましい。また、図３に詳しく示すように、本体部１１の内部の穂先側には円筒型のゴム部材１４が挿入されて固定されており、さらにゴム部材１４に隣接して本体部１１内には円盤状の磁石１５が固定されている。
【００１６】
ゴムバンド１３は、本体部１１の係止突起１２付近に一端が固定され、他端側に係止突起１２に係止可能な複数の係止孔１３ａが形成されたゴム部材である。中通し竿の元竿１にトップカバー１０を填め込んだ状態でゴム部材１０を巻回して、トップカバー１０を中通し竿に取り付け可能である。
一方、中通し竿に釣糸を挿通するために用いられる糸通し具２０は、図４に示すように、金属製ワイヤーからなる本体部２１と、本体部２１の先端に設けられた先端部２２と、本体部２１の後端に設けられ釣糸Ｌを係止可能な釣糸係止部２３とを有している。本体部２１は複数の金属線を寄り合わせてワイヤー状に形成したものであり、屈曲自在である。また、先端部２２はスチールまたはこれらの合金からなる磁性体である。
【００１７】
この中通し竿では以下のように釣糸挿通操作を行う。図５に示すように、中通し竿の第１中竿２内に穂先竿４及び第２中竿３を順次収納して、元竿１の穂先側に第１中竿２のみが引き出されて連結された状態とし、トップカバー１０を第１中竿２の穂先側に被せる。そして、ゴムバンド１３を巻回し係止突起１２に係止してトップガイド１０を第１中竿２に固定する。このように、トップカバー１０を第１中竿２に固定したまま、糸通し具２０によって釣糸挿通操作を行う。即ち、図５に示すように、糸通し具２０の釣糸係止部２３に釣糸Ｌを係止し、中通し竿の穂先側を下方に向けたまま釣糸導入孔７から糸通し具２０を釣糸通路１００内に挿入する。そして、穂先側のトップガイド１０に糸通し具２０の先端部２２が至った状態で、トップガイド１０を取り外すとともに糸通し具２０を穂先側から引き抜く。
【００１８】
なお、周知のように、収納時には穂先竿４〜第１中竿２を元竿１内に収納して、元竿１の穂先側にトップガイド１０を取付けられる。このように、中通し竿の穂先側を下方に向けたまま釣糸挿通操作を行っても、トップカバー１０が第１中竿２に取り付けられているので、第１中竿２内に収納されている第２竿体３及び穂先竿４が穂先側に飛び出すことはない。また、トップカバー１０の磁石１５が糸通し具２０の先端部２２を引きつけて保持するので、糸通し具２０が竿体の穂先側に至った後に、トップカバー１０を第１中竿２から取り外すとともに糸通し具２０を穂先側から引き出すことができ、釣糸Ｌを釣糸通路１００に容易に挿通させることができる。また、ゴム部材３４が糸挿通操作時に穂先竿４の穂先側端部を損傷するのを防止する。また、糸通し具２０の先端を損傷するのも防止できる。
【００１９】
［第２実施形態］
以下、本発明の第２実施形態について図面を参照しつつ説明する。
本発明の第２実施形態を採用したトップカバー３０は、図６に示すように、竿元側が開口した蓋付円筒型の本体部３１と、本体部３１の竿元側外周面に設けられた係止突起３２と、本体部３１の竿元側に配置されたゴムバンド３３とを有している。
【００２０】
本体部３１は、内部に中通し竿の元竿１の穂先側を収納可能な程度の内径を有する蓋付き円筒形部材であり、竿元側の一部分が竿元側に伸びこの部分に係止突起３２が本体部３１と一体的に形成されている。また、本体部３１の内部の穂先側には円筒型のゴム部材３４が挿入されて固定されており、さらにゴム部材３４に隣接して本体部３１内には円盤状の面ファスナー３５が固定されている。
【００２１】
一方、中通し竿に釣糸を挿通するために用いられる糸通し具４０は、金属製ワイヤーからなる本体部４１と、本体部４１の先端に設けられた先端部４２と、本体部４１の後端に設けられ釣糸Ｌを係止可能な釣糸係止部（図４参照）とを有している。本体部４１は複数の金属線を寄り合わせてワイヤー状に形成したものであり、屈曲自在である。また、先端部４２はトップカバー３０の面ファスナー３５に脱着自在に接着可能な面ファスナーである。
【００２２】
なお、その他の構成は第１実施形態と同様である。
この中通し竿では、原則的に第１実施形態と同様にして釣糸挿通操作を行う。即ち、中通し竿の第１中竿２内に穂先竿４及び第２中竿３を順次収納し、トップカバー１０を第１中竿２の穂先側に被せる。トップカバー３０を第１中竿２に固定した後、糸通し具４０の釣糸係止部に釣糸Ｌを係止し、中通し竿の穂先側を下方に向けてまま釣糸導入孔７から糸通し具４０を釣糸通路１００内に挿入する。そして、穂先側のトップガイド３０に糸通し具４０の先端部２２が至った状態で、トップガイド３０を取り外すとともに糸通し具４０を穂先側から引き抜く。
【００２３】
このように、中通し竿の穂先側を下方に向けたまま釣糸挿通操作を行っても、トップカバー３０が第１中竿２に取り付けられているので、第１中竿２内に収納されている第２竿体３及び穂先竿４が穂先側に飛び出すことはない。また、トップカバー３０の面ファスナー３５が糸通し具４０の先端部４２と密着しているので、糸通し具４０が竿体の穂先側に至った後に、トップカバー３０を第２中竿２から取り外すとともに糸通し具４０を穂先側から引き出すことができ、釣糸Ｌを釣糸通路１００に容易に挿通させることができる。
【００２４】
［他の実施形態］
（ａ）トップカバー内にとりもちのような粘着部材を配置して、これをもって糸通し具を保持してもよい。
（ｂ）トップカバーの内部の穂先側に係止フックを形成し、この係止フックに係止可能な先端部を糸通し具の先端に設けてもよい。
（ｃ）中通し竿の竿体数は上記実施形態に限定されるものではない。様々な中通し竿に用いることができる。
【００２５】
【発明の効果】
本発明にかかるトップカバーと糸通し具によれば、中通し竿の釣糸通路に釣糸を容易に挿通させることができる。
【図面の簡単な説明】
【図１】中通し竿の全体図。
【図２】本発明の第１実施形態を採用したトップカバーを中通し竿に装着した図。
【図３】図２のトップカバーの断面図。
【図４】本発明の第１実施形態を採用した糸通し具。
【図５】本発明の第１実施形態を採用したトップカバー及び糸通し具によって釣糸挿通操作を行う状態を示した図。
【図６】本発明の第２実施形態を採用したトップカバーの断面図。
【符号の説明】
１  元竿
４  穂先竿
１０，３０  トップカバー
１１，３１  本体部
１２，３２  係止突起
１３，３３  ゴムバンド
１４，３４  ゴム部材
１５  磁石
２０，４０  糸通し具
２１，４１  本体部
２２，４２  先端部
２３  釣糸係止部
３５  面ファスナー
【図１】
0004044222.tif 000002
【図２】
0004044222.tif 000003
【図３】
0004044222.tif 000004
【図４】
0004044222.tif 000005
【図５】
0004044222.tif 000006
【図６】
0004044222.tif 000007